(57)【要約】【課題】  施工に便利で、工程の時間を省き、低コストの防振パッドベースの骨組みを提供する。【解決手段】    鉄筋によってなる平面格子状構造を複数積層し、かつそれぞれの該平面格子状構造の間に隙間を設け、該複数の平面格子状構造の側面に複数の側面鉄筋ネットを接続して設ける。【選択図】  図２
0003133045.tif 000002
【実用新案登録請求の範囲】
【請求項１】
鉄筋によってなる平面格子状構造を複数積層し、かつそれぞれの該平面格子状構造の間に隙間を設け、
該複数の平面格子状構造の側面に複数の側面鉄筋ネットを接続して設けることを特徴とする防振パッドベースの骨組構造。
【請求項２】
前記平面格子状構造が複数の横方向鉄筋と縦方向鉄筋とを含むことを特徴とする請求項１に記載の防振パッドベースの骨組み構造。
【請求項３】
前記平面格子状構造が単一の鉄筋によってなり、該単一の鉄筋を折り曲げて該複数の横方向鉄筋と縦方向鉄筋と、及び接続ユニットを構成することを特長とする請求項２に記載の防振パッドの骨組み構造。
【請求項４】
前記平面格子状構造が矩形を呈し、４つの辺を具えることを特徴とする請求項１に記載の防振パッドの骨組み構造。
【請求項５】
前記防振パッドの骨組み構造が４組の側面鉄筋ネットを含み、かつ該４組の側面鉄筋ネットが該平面格子状構造のそれぞれの側辺に設けられることを特徴とする請求項４に記載の防振パッドの骨組み構造。
【請求項６】
前記側面鉄筋ネットの隣り合側を互いに接続することを特徴とする請求項５に記載の防振パッドの骨組み構造。
【請求項７】
前記側面鉄筋ネットが該平面格子状構造に対して垂直に設けられることを特徴とする請求項１に記載の防振パッドの骨組み構造。
【請求項８】
前記側面鉄筋ネットが上端湾曲部と底端湾曲部とを含み、該上端湾曲部と該底端湾曲部とが、それぞれ複数の縦方向鉄筋を含み、かつ該上端湾曲部は該側面鉄筋ネットの上端から該平面格子状構造に向かって湾曲しつつ延伸し、該底端湾曲部は該側面鉄筋ネットの底端から該平面格子状構造に向かって湾曲しつつ延伸することを特徴とする請求項１に記載の防振パッドの骨組み構造。
【請求項９】
前記上端湾曲部と底端湾曲部が、それぞれ複数の縦方向鉄筋を含むことを特徴とする請求項８に記載の防振パッドの骨組み構造。
【請求項１０】
前記上端湾曲部と底端湾曲部が、それぞれ該平面格子状構造の間に形成される隙間に進入することを特徴とする請求項８に記載の防振パッドベースの骨組み構造。
【請求項１１】
前記側面鉄筋ネットが複数の鉄筋を溶接してなることを特徴とする請求項１に記載の防振パッドベースの骨組み構造。
【請求項１２】
前記側面鉄筋ネットが単一の鉄筋を湾曲してなることを特徴とする請求項１に記載の防振パッドベースの骨組み構造。
【請求項１３】
前記側面鉄筋ネットが該平面格子状に溶接されて接続することを特徴とする請求項１に記載の防振パッドベースの骨組み構造。
【請求項１４】
前記側面鉄筋ネットが該平面格子状に締結されて接続することを特徴とする請求項１に記載の防振パッドベースの骨組み構造。
【考案の詳細な説明】
【技術分野】
【０００１】
この考案は建築物における防振パッドベースの骨組み構造に関する。
【背景技術】
【０００２】
時代の進歩に伴い、映像関係の工程技術もますます発展を遂げている。土地の開発が進み、人口が増え続けたことによって、土地が狭く人口の多い都市部では、建設用地の取得が容易でなくなった。そこで、建築物の収納容量を増やすため、建築物は高さを増すようになった。
【０００３】
建築物が高くなるとともに、地震などの外部から受ける力の影響に対して世簿措置を講じる必要が更に高まった。特に、特殊な用途の建物、もしくは断層などの特殊な場所に位置する橋梁などの建築物にとって、棒新対策としての設計施工は極めて重要である。
【０００４】
従来の地震を含む外部から受ける力に対する予防措置として様々な方法が開発されてきた。例えば、既存する設計構造について可能な限りの外部から受ける力を予測して安全係数を計算する方法が挙げられる。但し、係る方法は往々にしてコストの増加を招くとともに、その効果にも限りがある。
【０００５】
また、防振パッドを利用する方法が挙げられる。防振パッドに常用される材質はゴム製品であって、その主な効果は、地震などによって衝撃を受けた場合適宜に変移と変形が発生し、上部の建物の構造が受ける力を緩衝するとともに、力を下方の構造、または基礎に伝えることにある。
【０００６】
防振パッドは水平に設ける必要がある。よって、防振パッドの下方には基礎構造を設ける。従来の基礎構造は、骨組みが鉄筋を締結して籠状にし、コンクリートを打設して形成する。但し、係る工法は時間がかかり、コストも嵩む。
【考案の開示】
【考案が解決しようとする課題】
【０００７】
この考案は施工に便利で、工程の時間を省き、低コストの防振パッドベースの骨組みを提供することを課題とする。
【課題を解決するための手段】
【０００８】
そこで、本考案者は従来の技術に見られる欠点に鑑み鋭意研究を重ねた結果、鉄筋によってなる平面格子状構造を複数積層し、かつそれぞれの該平面格子状構造の間に隙間を設け、該複数の平面格子状構造の側面に複数の側面鉄筋ネットを接続して設けた防振パッドベースの骨組構造によって課題を解決できる点に着眼し、係る知見に基いて本考案を完成させた。
【０００９】
以下、この考案について具体的に説明する。
請求項１に記載する防振パッドベースの骨組構造は、鉄筋によってなる平面格子状構造を複数積層し、かつそれぞれの該平面格子状構造の間に隙間を設け、
該複数の平面格子状構造の側面に複数の側面鉄筋ネットを接続して設ける。
【００１０】
請求項２に記載する防振パッドベースの骨組構造は、請求項１における平面格子状構造が複数の横方向鉄筋と縦方向鉄筋とを含む。
【００１１】
請求項３に記載する防振パッドベースの骨組構造は、請求項２における平面格子状構造が単一の鉄筋によってなり、該単一の鉄筋を折り曲げて該複数の横方向鉄筋と縦方向鉄筋と、及び接続ユニットを構成する。
【００１２】
請求項４に記載する防振パッドベースの骨組構造は、請求項１における平面格子状構造が矩形を呈し、４つの辺を具える。
【００１３】
請求項５に記載する防振パッドベースの骨組構造はｍ請求項４における防振パッドの骨組み構造が４組の側面鉄筋ネットを含み、かつ該４組の側面鉄筋ネットが該平面格子状構造のそれぞれの側辺に設けられる。
【００１４】
請求項６に記載する防振パッドベースの骨組構造は、請求項１における側面鉄筋ネットの隣り合側を互いに接続する。
【００１５】
請求項７に記載する防振パッドベースの骨組構造は、請求項１における側面鉄筋ネットが該平面格子状構造に対して垂直に設けられる。
【００１６】
請求項８に記載する防振パッドベースの骨組構造は、請求項１における側面鉄筋ネットが上端湾曲部と底端湾曲部とを含み、該上端湾曲部と該底端湾曲部とが、それぞれ複数の縦方向鉄筋を含み、かつ該上端湾曲部は該側面鉄筋ネットの上端から該平面格子状構造に向かって湾曲しつつ延伸し、該底端湾曲部は該側面鉄筋ネットの底端から該平面格子状構造に向かって湾曲しつつ延伸する。
【００１７】
請求項９に記載する防振パッドベースの骨組構造は、請求項８における上端湾曲部と底端湾曲部が、それぞれ複数の縦方向鉄筋を含む。
【００１８】
請求項１０に記載する防振パッドベースの骨組構造は、請求項８における上端湾曲部と底端湾曲部が、それぞれ該平面格子状構造の間に形成される隙間に進入する。
【００１９】
請求項１１に記載する防振パッドベースの骨組構造は、請求項１における側面鉄筋ネットが複数の鉄筋を溶接してなる。
【００２０】
請求項１２に記載する防振パッドベースの骨組構造は、請求項１における側面鉄筋ネットが単一の鉄筋を湾曲してなる。
【００２１】
請求項１３に記載する防振パッドベースの骨組構造は、請求項１における  前記側面鉄筋ネットが該平面格子状に溶接されて接続する。
【００２２】
請求項１４に記載する防振パッドベースの骨組構造は、請求項１における側面鉄筋ネットが該平面格子状に締結されて接続する。
【考案の効果】
【００２３】
この考案による防振パッドベースの骨組みは施工に便利で、防振パッドベースを製造する工程の時間を省き、かつ低コストを実現する一方で、好ましい強度を具え防振パッドを支持するといった効果を有する。
【考案を実施するための最良の形態】
【００２４】
この考案は、図１に開示するよう防振パッド１５０は、防振パッドベース１５０と組み合わせて用い、かつ建築物１０の柱体１２の下方に設ける。ここでいう建築物とは、家屋、橋梁などの外部から受ける力に対する抵抗力を必要とする建築物を指す。防振パッドベース１００は、受けた力を下方の構造に伝えやすいように、基礎スラブ２０、またはスラブ上であって、かつ下方の柱位置２１に対応する位置に設ける。
【００２５】
図２に開示するように、この考案による防振パッドベースの構造は、複数の鉄筋による平面格子状構造３００と、少なくとも１以上の側面鉄筋ネット５００とを含む。複数の平面格子状構造３００は積層構造を呈し、かつ隣り合う平面格子増構造３００との間に隙間３１０を有する。
【００２６】
図２に開示する実施の形態においては、４つの平面格子状構造３００を正規そうして防振パッドベース５００の主体を構成する。但し、防振パッドベース５００のサイズ、荷重量などによっては積層する数量、サイズ、鉄筋の線番を適宜に選択することができる。
【００２７】
図２に開示する実施の形態においては、平面格子状構造３００は複数の横方向鉄筋３０１と、複数の縦方向鉄筋３０３とを含む。横方向鉄筋３０１は、好ましくは縦方向鉄筋３０３と直交させる。また、横方向鉄筋３０１と縦方向鉄筋３０３が交錯する箇所は溶接、締結などの適宜な方法を選択して接続するか、もしくは接続しなくてもよい。
【００２８】
図２に開示するように、平面格子状構造３００は単一の鉄筋によって構成する。即ち、単一の鉄筋を折り曲げて複数の横方向鉄筋３０１と複数の縦方向鉄筋３０３とを構成し、かつその間に複数の接続ユニット３０５を設ける。接続ユニット３０５は横方向鉄筋３０１、または縦方向鉄筋３０３の末端と次の湯子方向鉄筋３０１、または縦方向鉄筋３０３の前端との間を接続する部分を指す。
【００２９】
また、平面格子状構造３００は、好ましくは矩形を呈する。図２に開示する実施の形態においては４つの辺を有する。但し、円形、楕円形、もしくはその他形状を呈してもよい。
【００３０】
図２、３に開示するように、側面鉄筋ネット５００は平面格子状構造３００の側辺に設け、かつ複数の平面格子状構造３００によって構成される防振パッドベースの主体に接続する。実施例においては、側面鉄筋ネット５００を平面格子状構造３００に溶接する。但し、締結などその他方法で接続してもよい。
【００３１】
図２に開示するように、側面鉄筋ネット５００は複数の縦方向鉄筋５０１と、複数の横方向鉄筋５０３と接続してなる。接続の方法は溶接、締結などを選択する。但し、側面鉄筋ネット５００は単一の鉄筋を折り曲げて形成してもよい。また、側面鉄筋ネット５００の鉄筋の線番は平面格子状構造３００を構成する鉄筋よりも小さい番号のものを選択する。、側面鉄筋ネット５００を設ける目的は、平面格子状構造３００を位置決めするとともに、異なる断面における強度を高めることにある。
【００３２】
図２に開示するように、側面鉄筋ネット５００は上端湾曲部５１０と底端湾曲部５３０とを含む。上端湾曲部５１０と底端湾曲部５３０とは、それぞれ複数の縦方向鉄筋５１０を含む。
【００３３】
上端湾曲部５１０は、側面鉄筋ネット５００の上端から平面格子状構造３００に向かって湾曲しつつ延伸する。底端湾曲部５３０は、側面鉄筋ネット５００の底端から平面格子状構造３００に向かって湾曲しつつ延伸する。
【００３４】
また、図３に開示するように上端湾曲部５１０と底端湾曲部５３０は、それぞれ平面格子状構造３００の隙間３１０に進入する。但し、例えば図４に開示
する他の実施の形態においては、上端湾曲部５１０と底端湾曲部５３０の角度を設計に合わせて変更してもよい。
【００３５】
図２、３に開示する実施の形態において、平面格子状構造３００は矩形を呈し、かつ４組の側面鉄筋ネット５００を平面格子状構造３００の対向する４つの側面に設ける。図３に開示するように、隣り合う側面鉄筋ネット５００の側辺凸鉄筋部分も接続する。この場合、溶接、または締結などの方法を選択する。
【００３６】
また、図５に開示するように、単一の側面鉄筋ネットを折り曲げて平面格子状構造３００の異なる側面に対応させてもよい。仮に平面格子状構造３００が円形を呈する場合は、単一の側面鉄筋ネットを湾曲させて側面を囲む。
【００３７】
図６は、この考案の提供する防振パッドベース１００の説明図である、図面によれば、防振パッドベースの骨組みを完成させた後、コンクリートを打設してコンクリート層１７０を形成し、防振パッドベース１００を形成する。コンクリートを打設する工程は施工現場で行うか、もしくはプレキャスト工場で行ってもよい。また、防振パッドを取り付ける場合の利便性、又は位置決めなどを考慮して、防振パッドベース１００に位置決め手段を設けるか、または接続用の鉄筋を露出させるか、接続用の孔部などを形成する。
【００３８】
以上は、この考案の好ましい実施の形態であって、この考案の実施の範囲を限定するものではない。よって、当業者のなし得る変更、または修正であって、この考案の精神の下においてなされ、かつこの考案に対して均等の効果を有するものは、いずれもこの考案の実用新案登録請求の範囲に属するものとする。
【図面の簡単な説明】
【００３９】
【図１】この考案による防振パッドベースの使用態様を示した説明図である。
【図２】この考案による防振パッドベースの構造を示した分解図である。
【図３】図２に開示する部材を組み立てた状態を示した斜視図である。
【図４】他の実施の形態による防振パッドベースの構造を示した分解図である。
【図５】その他の実施の形態による防振パッドベースの構造を示した分解図である。
【図６】この考案による防振パッドベースの構造を示した説明図である。
【符号の説明】
【００４０】
１０     建築物
１２     柱体
２０     基礎スラブ
２１     柱位置
１００   防振パッドベース
１５０   防振パッド
１７０   コンクリート層
３００   平面格子状構造
３０１   横方向鉄筋
３０３   縦方向鉄筋
３０５   接続ユニット
３１０   隙間
５００   側面鉄筋ネット
５０１   縦方向鉄筋
５０３   横方向鉄筋
５１０   上端湾曲部
５３０   底端湾曲部
【図１】
0003133045.tif 000003
【図２】
0003133045.tif 000004
【図３】
0003133045.tif 000005
【図４】
0003133045.tif 000006
【図５】
0003133045.tif 000007
【図６】
0003133045.tif 000008